(57)【要約】【課題】操作報知用の報知音および動作報知用の報知音をそれぞれ適切なタイミングで発することができる情報処理端末およびそのプログラムを提供する。【解決手段】本発明の実施形態における充電装置は、単純報知音モードの設定時、所定操作があった場合にその旨を報知するための単一周波数の単純報知音信号を発する単純報知音発生手段と、前記単純報知音モードの非設定時、前記所定操作があった場合にその旨を報知するための周波数可変の第１報知音信号を生成する第１報知音生成手段と、前記単純報知音モードの設定時、所定動作があった場合にその旨を報知するための周波数可変の第２報知音信号を生成する第２報知音生成手段と、前記単純報知音モードの非設定時、前記所定動作があった場合に前記単純報知音モードを強制的に設定し、この設定後に前記第２報知音信号を生成し、前記第２報知音信号の生成の完了後に前記単純報知音モードの設定を解除する第３報知音生成手段と、を備える。【選択図】図２
2014170373.tif 000002
【特許請求の範囲】
【請求項１】
単純報知音モードの設定時、所定操作があった場合にその旨を報知するための単一周波数の単純報知音信号を発する単純報知音発生手段と、
前記単純報知音モードの非設定時、前記所定操作があった場合にその旨を報知するための周波数可変の第１報知音信号を生成する第１報知音生成手段と、
前記単純報知音モードの設定時、所定動作があった場合にその旨を報知するための周波数可変の第２報知音信号を生成する第２報知音生成手段と、
前記単純報知音モードの非設定時、前記所定動作があった場合に前記単純報知音モードを強制的に設定し、この設定後に前記第２報知音信号を生成し、前記第２報知音信号の生成の完了後に前記単純報知音モードの設定を解除する第３報知音生成手段と、
を備えることを特徴とする情報処理端末。
【請求項２】
前記単純報知音発生手段から発せられる前記単純報知音信号および前記各報知音生成手段で生成される前記各報知音信号を音に変換するスピーカ、
をさらに備えることを特徴とする請求項１に記載の情報処理端末。
【請求項３】
前記単純報知音発生手段は、単純報知音モードであるビープ音モードの設定時、前記所定操作があった場合にその旨を報知するための単一周波数の単純報知音信号としてビープ音信号を発するビープ音発生回路である、
ことを特徴とする請求項１または請求項２に記載の情報処理端末。
【請求項４】
前記第１報知音生成手段は、音信号生成用のディジタル音源モジュールを含み、前記ビープ音モードの非設定時、前記所定操作があった場合に前記第１報知音信号を生成する、
前記第２報知音生成手段は、前記ディジタル音源モジュールを含み、前記ビープ音モードの設定時、前記所定動作があった場合に前記第２報知音信号を生成する、
前記第３報知音生成手段は、前記ディジタル音源モジュールを含み、前記ビープ音モードの非設定時、前記所定動作があった場合に前記ビープ音モードを強制的に設定し、この設定後に前記第２報知音信号を生成し、この生成の完了後に前記ビープ音モードの設定を解除する、
ことを特徴とする請求項３に記載の情報処理端末。
【請求項５】
操作手段およびカード読取手段をさらに備え、
前記第１報知音生成手段は、前記ディジタル音源モジュールを含み、前記ビープ音モードの非設定時、前記操作手段の所定操作があった場合に前記第１報知音信号を生成する、
前記第２報知音生成手段は、前記ディジタル音源モジュールを含み、前記ビープ音モードの設定時、前記カード読取手段の所定動作があった場合に前記第２報知音信号を生成する、
前記第３報知音生成手段は、前記ディジタル音源モジュールを含み、前記ビープ音モードの非設定時、前記カード読取手段の所定動作があった場合に前記ビープ音モードを強制的に設定し、この設定後に前記第２報知音信号を生成し、この生成の完了後に前記ビープ音モードの設定を解除する、
ことを特徴とする請求項４に記載の情報処理端末。
【請求項６】
単純報知音モードの設定時、所定操作があった場合にその旨を報知するための単一周波数の単純報知音信号を発する単純報知音発生手段と、
コンピュータと、
を備えた情報処理端末において、
前記コンピュータを、
前記単純報知音モードの非設定時、前記所定操作があった場合にその旨を報知するための周波数可変の第１報知音信号を生成する第１報知音生成手段と、
前記単純報知音モードの設定時、所定動作があった場合にその旨を報知するための周波数可変の第２報知音信号を生成する第２報知音生成手段と、
前記単純報知音モードの非設定時、前記所定動作があった場合に前記単純報知音モードを強制的に設定し、この設定後に前記第２報知音信号を生成し、前記第２報知音信号の生成の完了後に前記単純報知音モードの設定を解除する第３報知音生成手段、
として機能させることを特徴とする情報処理端末のプログラム。
【発明の詳細な説明】
【技術分野】
【０００１】
本開示は、操作や動作に応じた報知音を発する情報処理端末およびそのプログラムに関する。
【背景技術】
【０００２】
商品の販売処理および宅配物の決済処理などを支援する情報処理端末として、ＰＯＳ端末、電子レジスタ、ハンディターミナルなどが知られている。
【０００３】
これら情報処理端末は、表示部および操作部を有し、操作部のキー操作時に例えば“ピッ”という単発の報知音を発する。この報知音は、単一周波数（単一音階）の音で、ビープ音（Beep Sound）という。
【０００４】
最近では、ビープ音に代えて周波数可変の報知音を生成するディジタル音源モジュールを搭載した情報処理端末も登場している。この情報処理端末は、キー操作があった場合に、その旨を報知するための周波数可変（音階可変）の報知音を生成して発する。また、この情報処理端末は、ＩＣカードや磁気カードの読取動作があった場合に、その旨を報知するための周波数可変（音階可変および音色可変）の例えば“シャリーン”というメロディ調の報知音を生成して発する。
【０００５】
ディジタル音源モジュールを搭載した情報処理端末の場合、読取動作に対応するメロディ調の報知音を生成して発している間は、キー操作の報知音を生成して発することができない。メロディ調の報知音の生成が完了した後に、キー操作の報知音を生成することになる。これでは、キー操作があったことを適切に知らせることができない。
【先行技術文献】
【特許文献】
【０００６】
【特許文献１】特開２００７―１４７４３４号公報
【発明の概要】
【発明が解決しようとする課題】
【０００７】
本発明の実施形態の目的は、操作報知用の報知音および動作報知用の報知音をそれぞれ適切なタイミングで発することができる情報処理端末およびそのプログラムを提供することである。
【課題を解決するための手段】
【０００８】
上記課題を解決するために、本発明の実施形態における情報処理端末は、単純報知音モードの設定時、所定操作があった場合にその旨を報知するための単一周波数の単純報知音信号を発する単純報知音発生手段と、前記単純報知音モードの非設定時、前記所定操作があった場合にその旨を報知するための周波数可変の第１報知音信号を生成する第１報知音生成手段と、前記単純報知音モードの設定時、所定動作があった場合にその旨を報知するための周波数可変の第２報知音信号を生成する第２報知音生成手段と、前記単純報知音モードの非設定時、前記所定動作があった場合に前記単純報知音モードを強制的に設定し、この設定後に前記第２報知音信号を生成し、前記第２報知音信号の生成の完了後に前記単純報知音モードの設定を解除する第３報知音生成手段と、を備える。
【図面の簡単な説明】
【０００９】
【図１】一実施形態の外観図。
【図２】一実施形態の制御回路のブロック図。
【図３】一実施形態におけるビープ音発生回路の動作を示すフローチャート。
【図４】一実施形態におけるＣＰＵの制御を示すフローチャート。
【発明を実施するための形態】
【００１０】
以下、本発明の一実施形態について図面を参照して説明する。  
図１に示すハンディターミナル１は、商品の販売処理および宅配物の配送決済処理などを支援する手持式の情報処理端末で、上面に液晶表示部２、操作部３、および報知音出力部４を備える。液晶表示部２は、処理に必要な文字や画像を表示する。操作部３は、処理に必要なデータ入力や動作条件の設定などに用いる。報知音出力部４は、後述のスピーカ１８から発せられる音を放出する。
【００１１】
また、ハンディターミナル１は、ＩＣカードの挿入と引出しが自在なＩＣカード挿入口５を備え、そのＩＣカード挿入口５の内側に後述のＩＣカードリーダライタ１２を備える。ハンディターミナル１は、磁気カードの挿入とスライド操作が自在な磁気カード挿入口６を下部端面に備え、その磁気カード挿入口６の内側に後述の磁気カードリーダ１３を備える。なお、ハンディターミナル１は、後述のバーコードスキャナ１４を上部端面に備える。
【００１２】
ハンディターミナル１の制御回路を図２に示す。
【００１３】
コンピュータの中央処理装置であるＣＰＵ１０に、無線通信部１１、液晶表示部２、操作部３、ＩＣカードリーダライタ１２、磁気カードリーダ１３、バーコードスキャナ１４、ＲＯＭ１５、ＲＡＭ１６、出力制御回路１７、ビープ音発生回路２０、およびサウンドドライバ３０を接続する。
【００１４】
無線通信部１１は、アンテナ１１ａを付属して備え、ＣＰＵ１０から供給されるデータを上位機器である例えば管理サーバに無線送信するとともに、その管理サーバから無線送信されるデータを受信してその受信データをＣＰＵ１０に送る。
【００１５】
ＩＣカードリーダライタ１２は、ＩＣカード挿入口５に挿入されるＩＣカードのデータを読取るとともに、そのＩＣカードに対するデータの書込みを行う。磁気カードリーダ１３は、磁気カード挿入口６に挿入されてスライド操作される磁気カードのデータを読取る。バーコードスキャナ１４は、商品や宅配物に付されているバーコードを光学的に読取る。
【００１６】
ＲＯＭ１５は、ＣＰＵ１０の制御に必要なプログラム、および商品の販売処理や宅配物の配送決済処理などに必要な各種アプリケーションプログラムを記憶している。ＲＡＭ１６は、ＣＰＵ１０の処理に関わる各種データを記憶する。
【００１７】
ビープ音発生回路２０は、単純報知音モードであるビープ音モードの設定時、操作部３のキー操作に基づくキー操作通知信号（所定操作通知信号）をＣＰＵ１０から受けた場合に、そのキー操作があった旨を報知するための例えば“ピッ”という単一周波数（単一音階）で単発のビープ音信号（第１報知音信号）を発する。また、ビープ音発生回路２０は、ビープ音モードの設定時、操作部３のエラー操作に基づくエラー操作通知信号（所定操作通知信号）をＣＰＵ１０から受けた場合に、そのエラー操作があった旨を報知するための例えば“ピーッピーッピーッ”という単一周波数（単一音階）で連発のビープ音信号（第１報知音信号）を発する。
【００１８】
サウンドドライバ３０は、ＣＰＵ１０と共に報知音生成手段として機能するディジタル音源モジュール３１、および音源データメモリ３２を有する。音源データメモリ３２は、多数のディジタル音源データＤ１，Ｄ２，…Ｄｎを記憶している。
【００１９】
ディジタル音源データＤ１は、ＩＣカードリーダライタ１２がデータを読取ったときの動作報知用の例えば“シャリーン”というメロディ調の報知音信号（以下、メロディ音信号という）を生成するためのものである。ディジタル音源データＤ２は、磁気カードリーダ１３がデータを読取ったときの動作報知用の例えば“シャリーン”というメロディ音信号を、ディジタル音源データＤ１によるメロディ音信号とは異なる音階や音色で生成するためのものである。ディジタル音源データＤ３は、バーコードスキャナ１４がバーコードを読取ったときの動作報知用の例えば“ピロン”というメロディ調の報知音信号を生成するためのものである。ディジタル音源データＤ４は、ＩＣカードリーダライタ１２がＩＣカードにデータを書込んだときの動作報知用の例えば“書込み完了しました”という疑似音声信号を生成するためのものである。
【００２０】
ディジタル音源データＤ５，Ｄ６，…は、操作部３の各キーに対応し、それぞれのキーが押圧操作されたときの操作報知用の例えば“ピッ”という報知音信号を、キー毎に異なる周波数（音階）で生成するためのものである。ディジタル音源データＤn-4，Ｄn-3，…Ｄn-2は、操作部３のキー操作にエラーがあったときのエラー操作報知用の例えば“ピーッピーッピーッ”という報知音信号を、エラー操作の内容毎に異なる周波数（音階）で生成するためのものである。
【００２１】
ディジタル音源データＤn-1は、接客開始時の例えば“いらっしゃいませ”という疑似音声信号を生成するためのものである。ディジタル音源データＤｎは、決済終了時の例えば“ありがとうございます”という疑似音声信号を生成するためのものである。
【００２２】
ディジタル音源モジュール３１は、音源データメモリ３２内のディジタル音源データＤ１，Ｄ２，…Ｄｎのうち、ＣＰＵ１０からの指令に基づくディジタル音源データを選定し、選定したディジタル音源データに基づいて上記メロディ音信号、上記報知音信号、上記疑似音声信号を生成する。
【００２３】
出力制御回路１７は、ビープ音発生回路２０から発せられるビープ音信号およびディジタル音源モジュール３１で生成される音信号をＣＰＵ１０からの指示に応じたレベルに増幅し、増幅した音信号をスピーカ１８に供給する。スピーカ１８は、出力制御回路１７から出力される音信号を実際の音に変換する。
【００２４】
ＣＰＵ１０は、ビープ音発生回路２０に関し、次の（１）（２）の制御手段を有する。  
（１）上位の管理サーバからの指示に応じてビープ音発生用のビープ音モードを設定および解除する第１制御手段。
【００２５】
（２）操作部３のキー操作があった場合にそのキー操作があった旨を知らせるためのキー操作通知信号をビープ音発生回路２０に供給し、操作部３のキー操作にエラーがあった場合にそのエラー操作があった旨を知らせるためのエラー操作通知信号をビープ音発生回路２０に供給する第２制御手段。
【００２６】
また、ＣＰＵ１０は、ディジタル音源モジュール３１および音源データメモリ２３と共に報知音信号を生成する機能として、次の（２１）〜（２３）の手段を有する。  
（２１）ビープ音モードの非設定時、所定操作（キー操作およびエラー操作）があった場合にその旨を報知するための周波数可変の報知音信号（第１報知音信号）を生成する第１報知音生成手段。
【００２７】
（２２）ビープ音モードの設定時、所定動作（ＩＣカードリーダライタのカード読取動作）があった場合にその旨を報知するための周波数可変のメロディ音信号（第２報知音信号）を生成する第２報知音生成手段。
【００２８】
（２３）ビープ音モードの非設定時、上記所定動作があった場合にビープ音モードを強制的に設定し、この設定後に上記メロディ音信号（第２報知音信号）を生成し、この生成の完了後にビープ音モードの設定を解除する第３報知音生成手段。
【００２９】
つぎに、ハンディターミナル１の動作について説明する。  
［ビープ音モードの設定時］  
ビープ音発生回路２０は、図３のフローチャートに示すように、ビープ音モードが設定されているとき（ステップ１０１のＹＥＳ）、操作部３のキー操作に基づくキー操作通知信号をＣＰＵ１０から受けた場合に（ステップ１０２のＹＥＳ）、そのキー操作があった旨を報知するための“ピッ”という単発のビープ音信号を発する（ステップ１０３）。
【００３０】
また、ビープ音発生回路２０は、ビープ音モードが設定されているとき（ステップ１０１のＹＥＳ）、操作部３のエラー操作に基づくエラー操作通知信号をＣＰＵ１０から受けた場合に（ステップ１０２のＹＥＳ）、そのエラー操作があった旨を報知するための例えば“ピーッピーッピーッ”という連発のビープ音信号を発する（ステップ１０３）。
【００３１】
スピーカ１８は、ビープ音発生回路２０から発せられるビープ音信号を実際の音に変換し、それを報知音出力部４から放出する。ハンディターミナル１の利用者は、ビープ音を聴くことにより、操作部３に対するキー操作およびエラー操作を確認することができる。
【００３２】
図４において、ＣＰＵ１０は、ＩＣカードリーダライタ１２のカード読取動作があった場合（ステップ２０１のＮＯ、ステップ２０４のＹＥＳ）、ビープ音モードの設定の有無を確認する（ステップ２０５）。ビープ音モードを設定している場合（ステップ２０５のＮＯ）、ＣＰＵ１０は、ＩＣカードリーダライタ１２のカード読取動作があった旨を報知するための“シャリーン”という音階可変および音色可変のメロディ音信号を生成する（ステップ２０６）。
【００３３】
この場合、ディジタル音源モジュール３１は、動作報知用の複数のディジタル音源データの中からＩＣカードリーダライタ１２のカード読取動作に対応する１つのディジタル音源データを音源データメモリ２３から抽出し、抽出したディジタル音源データに基づき、“シャリーン”という音階可変および音色可変のメロディ音信号を生成する。
【００３４】
スピーカ１８は、生成されたメロディ音信号を実際の音に変換し、それを報知音出力部４から放出する。ハンディターミナル１の利用者は、このメロディ音を聴くことにより、ＩＣカードリーダライタ１２のカード読取動作があったことを認識することができる。
【００３５】
ＣＰＵ１０は、ＩＣカードリーダライタ１２のカード書込み動作があった場合（ステップ２０１のＮＯ、ステップ２０４のＹＥＳ）、ビープ音モードの設定の有無を確認する（ステップ２０５）。ビープ音モードを設定している場合（ステップ２０５のＮＯ）、ＣＰＵ１０は、ＩＣカードリーダライタ１２のカード書込み動作があった旨を報知するための“書込み完了しました”という疑似音声を生成する（ステップ２０６）。
【００３６】
この場合、ディジタル音源モジュール３１は、動作報知用の複数のディジタル音源データの中からＩＣカードリーダライタ１２のカード書込み動作に対応する１つのディジタル音源データを音源データメモリ２３から抽出し、抽出したディジタル音源データに基づき、“書込み完了しました”という疑似音声を生成する。
【００３７】
スピーカ１８は、生成された疑似音声を実際の音に変換し、それを報知音出力部４から放出する。ハンディターミナル１の利用者は、この疑似音声を聴くことにより、ＩＣカードリーダライタ１２のカード書込み動作が終了したことを認識することができる。
【００３８】
ＣＰＵ１０は、磁気カードリーダ１３のカード読取動作があった場合（ステップ２０１のＮＯ、ステップ２０４のＹＥＳ）、ビープ音モードの設定の有無を確認する（ステップ２０５）。ビープ音モードを設定している場合（ステップ２０５のＮＯ）、ＣＰＵ１０は、磁気カードリーダ１３のカード読取動作があった旨を報知するための“シャリーン”という音階可変および音色可変のメロディ音信号を生成する（ステップ２０６）。
【００３９】
この場合、ディジタル音源モジュール３１は、動作報知用の複数のディジタル音源データの中から磁気カードリーダ１３のカード読取動作に対応する１つのディジタル音源データを音源データメモリ２３から抽出し、抽出したディジタル音源データに基づき、“シャリーン”という音階可変および音色可変のメロディ音信号を生成する。
【００４０】
スピーカ１８は、生成されたメロディ音信号を実際の音に変換し、それを報知音出力部４から放出する。ハンディターミナル１の利用者は、このメロディ音を聴くことにより、磁気カードリーダ１３のカード読取動作があったことを認識することができる。このときのメロディ音の音階や音色は、ＩＣカードリーダライタ１２のカード読取動作に際して発せられるメロディ音の音階や音色と異なるので、磁気カードリーダ１３のカード読取動作をＩＣカードリーダライタ１２のカード読取動作と区別して認識することができる。
【００４１】
［ビープ音モードの非設定時］  
ＣＰＵ１０は、図４のフローチャートに示すように、操作部３のキー操作があった場合（ステップ２０１のＹＥＳ）、ビープ音モードの設定の有無を確認する（ステップ２０２）。ビープ音モードを設定していない場合（ステップ２０２のＹＥＳ）、つまりビープ音発生回路２０が動作しない場合、ＣＰＵ１０は、キー操作があった旨を報知するための周波数可変の“ピッ”という単発の報知音信号をディジタル音源モジュール３１により生成する（ステップ２０３）。
【００４２】
この場合、ディジタル音源モジュール３１は、キー操作報知用の複数のディジタル音源データの中から実際に操作されたキーに対応する１つのディジタル音源データを音源データメモリ２３から抽出し、抽出したディジタル音源データに基づき、操作されたキーに固有の音階を持つ“ピッ”という単発の報知音信号を生成する。
【００４３】
ＣＰＵ１０は、操作部３のキー操作にエラーがあった場合（ステップ２０１のＹＥＳ）、ビープ音モードの設定の有無を確認する（ステップ２０２）。ビープ音モードを設定していない場合（ステップ２０２のＹＥＳ）、ＣＰＵ１０は、エラー操作があった旨を報知するための周波数可変の“ピーッピーッピーッ”という連発の報知音信号をディジタル音源モジュール３１により生成する（ステップ２０３）。
【００４４】
この場合、ディジタル音源モジュール３１は、エラー操作報知用の複数のディジタル音源データの中から実際に生じたエラー操作に対応する１つのディジタル音源データを音源データメモリ２３から抽出し、抽出したディジタル音源データに基づき、実際に生じたエラー操作に固有の音階を持つ“ピーッピーッピーッ”という連発の報知音信号を生成する。
【００４５】
スピーカ１８は、生成された音階可変の報知音信号を実際の音に変換し、それを報知音出力部４から放出する。ハンディターミナル１の利用者は、これら音階可変の報知音を聴くことにより、操作部３に対するキー操作およびエラー操作をその操作内容を含めて確認することができる。
【００４６】
一方、ＣＰＵ１０は、ＩＣカードリーダライタ１２のカード読取動作があった場合（ステップ２０１のＮＯ、ステップ２０４のＹＥＳ）、ビープ音モードの設定の有無を確認する（ステップ２０５）。ビープ音モードを設定していない場合（ステップ２０５のＹＥＳ）、ＣＰＵ１０は、ビープ音モードを強制的に設定する（ステップ２０７）。この設定後、ＣＰＵ１０は、ＩＣカードリーダライタ１２のカード読取動作があった旨を報知するための“シャリーン”という音階可変および音色可変のメロディ音信号の生成を開始する（ステップ２０８）。そして、ＣＰＵ１０は、メロディ音信号の生成が完了したとき（ステップ２０９のＹＥＳ）、ビープ音モードの設定を解除する（ステップ２１０）。
【００４７】
スピーカ１８は、生成されたメロディ音信号を実際の音に変換し、それを報知音出力部４から放出する。ハンディターミナル１の利用者は、このメロディ音を聴くことにより、ＩＣカードリーダライタ１２のカード読取動作があったことを認識することができる。
【００４８】
メロディ音信号の生成中はビープ音モードを設定するので、メロディ音信号の生成中に操作部３のキー操作やエラー操作があった場合は、そのキー操作やエラー操作に応じたビープ音がビープ音発生回路２０から発せられる。メロディ音信号の生成を開始する前に予めビープ音モードを設定しておくだけなので、メロディ音信号の生成に遅れを生じることもない。したがって、ＩＣカードリーダライタ１２のカード読取動作があったことをメロディ音の発生によって即時に知らせることができ、しかもキー操作やエラー操作があったことをビープ音の発生によって即時に知らせることができる。
【００４９】
メロディ音信号の生成が完了した後でビープ音モードの設定を解除するので、解除後はキー操作やエラー操作に際してはビープ音でなく表現力に富んだ音階可変の報知音を発することができる。
【００５０】
また、ＣＰＵ１０は、ＩＣカードリーダライタ１２のカード書込み動作があった場合（ステップ２０１のＮＯ、ステップ２０４のＹＥＳ）、ビープ音モードの設定の有無を確認する（ステップ２０５）。ビープ音モードを設定していない場合（ステップ２０５のＹＥＳ）、ＣＰＵ１０は、ビープ音モードを強制的に設定する（ステップ２０７）。この設定後、ＣＰＵ１０は、ＩＣカードリーダライタ１２のカード書込み動作があった旨を報知するための“書込み完了しました”という疑似音声信号の生成を開始する（ステップ２０８）。そして、ＣＰＵ１０は、疑似音声信号の生成が完了したとき（ステップ２０９のＹＥＳ）、ビープ音モードの設定を解除する（ステップ２１０）。
【００５１】
スピーカ１８は、生成された疑似音声信号を実際の音に変換し、それを報知音出力部４から放出する。ハンディターミナル１の利用者は、この疑似音声を聴くことにより、ＩＣカードリーダライタ１２のカード書込み動作があったことを認識することができる。
【００５２】
疑似音声信号の生成中はビープ音モードを設定するので、疑似音声信号の生成中に操作部３のキー操作やエラー操作があった場合は、そのキー操作やエラー操作に応じたビープ音がビープ音発生回路２０から発せられる。疑似音声信号の生成を開始する前に予めビープ音モードを設定しておくだけなので、疑似音声信号の生成に遅れを生じることもない。したがって、ＩＣカードリーダライタ１２のカード書込み動作があったことを疑似音声の発生によって即時に知らせることができ、しかもキー操作やエラー操作があったことをビープ音の発生によって即時に知らせることができる。
【００５３】
疑似音声信号の生成が完了した後でビープ音モードの設定を解除するので、以後のキー操作やエラー操作に際してはビープ音でなく表現力に富んだ音階可変の報知音を発することができる。
【００５４】
さらに、ＣＰＵ１０は、磁気カードリーダ１３のカード読取動作があった場合（ステップ２０１のＮＯ、ステップ２０４のＹＥＳ）、ビープ音モードの設定の有無を確認する（ステップ２０５）。ビープ音モードを設定していない場合（ステップ２０５のＹＥＳ）、ＣＰＵ１０は、ビープ音モードを強制的に設定する（ステップ２０７）。この設定後、ＣＰＵ１０は、磁気カードリーダ１３のカード読取動作があった旨を報知するための“シャリーン”という音階可変および音色可変のメロディ音信号の生成を開始する（ステップ２０８）。そして、ＣＰＵ１０は、メロディ音信号の生成が完了したとき（ステップ２０９のＹＥＳ）、ビープ音モードの設定を解除する（ステップ２１０）。
【００５５】
スピーカ１８は、生成されたメロディ音信号を実際の音に変換し、それを報知音出力部４から放出する。ハンディターミナル１の利用者は、このメロディ音を聴くことにより、磁気カードリーダ１３のカード読取動作があったことを認識することができる。
【００５６】
メロディ音信号の生成中はビープ音モードを設定するので、メロディ音信号の生成中に操作部３のキー操作やエラー操作があった場合は、そのキー操作やエラー操作に応じたビープ音がビープ音発生回路２０から発せられる。メロディ音信号の生成を開始する前に予めビープ音モードを設定しておくだけなので、メロディ音信号の生成に遅れを生じることもない。したがって、磁気カードリーダ１３のカード読取動作があったことをメロディ音の発生によって即時に知らせることができ、しかもキー操作やエラー操作があったことをビープ音の発生によって即時に知らせることができる。
【００５７】
メロディ音信号の生成が完了した後でビープ音モードの設定を解除するので、以後のキー操作やエラー操作に際してはビープ音でなく表現力に富んだ音階可変の報知音を発することができる。
【００５８】
なお、上記実施形態では、情報処理端末としてハンディターミナルを例に説明したが、操作や動作に応じた報知音を発するものであれば、ＰＯＳ端末や電子レジスタなど他の情報処理端末にも同様に実施できる。生成する報知音信号の音階や音色についても、情報処理端末の種類、使用するアプリケーションプログラムの種類などに応じて、適宜に定めればよい。
【００５９】
その他、上記実施形態は、例として提示したものであり、発明の範囲を限定することは意図していない。この新規な実施形態は、その他の様々な形態で実施されることが可能であり、発明の要旨を逸脱しない範囲で、種々の省略、書き換え、変更を行うことができる。これら実施形態は、発明の範囲は要旨に含まれるとともに、特許請求の範囲に記載された発明とその均等の範囲に含まれる。
【符号の説明】
【００６０】
１…ハンディターミナル、２…液晶表示部、３…操作部、４…報知音出力部、５…ＩＣカード挿入口、６…磁気カード挿入口、１０…ＣＰＵ、１１…無線通信部、１２…ＩＣカードリーダライタ、１３…磁気カードリーダ、１４…バーコードスキャナ、１５…ＲＯＭ、１６…ＲＡＭ、１８…スピーカ、２０…ビープ音発生回路（単純報知音発生手段）、３０…サウンドドライバ、３１…ディジタル音源モジュール、３２…音源データメモリ
【図１】
2014170373.tif 000003
【図２】
2014170373.tif 000004
【図３】
2014170373.tif 000005
【図４】
2014170373.tif 000006